(57)【要約】      （修正有）【課題】地震、水害、さらに紛争等が単独もしくは複合して発生した際に、確実な避難を可能とするための避難用シェルターを提供する。【解決手段】避難用シェルター１を、水密閉鎖された避難空間を有する球形のシェルター本体３と、設置状態のまま、当該避難空間へ人が出入りできるように当該シェルター本体側方に少なくとも１個開口された出入口と、当該出入口を水密閉鎖するハッチ９と、により構成し、さらに、設置状態にある当該シェルター本体の底部上に、設置状態と同じ水中姿勢を保持するためのウェイトを設置するための固定構造が設ける。設置状態のまま出入りができるので確実な非難が可能である。重心移動により水中浮遊中の姿勢変更が可能となる。よって、水害に対しても有効である。【選択図】図２
0003180913.tif 000002
【実用新案登録請求の範囲】
【請求項１】
水密閉鎖された避難空間を有する球形のシェルター本体と、
設置状態のまま、当該避難空間へ人が出入りできるように当該シェルター本体側方に少なくとも１個開口された出入口と、
当該出入口を水密閉鎖するハッチと、を有し、
設置状態にある当該シェルター本体の底部上に、設置状態と同じ水中姿勢を保持するためのウェイトを設置するための固定構造が設けられている、
ことを特徴とする避難用シェルター。
【請求項２】
前記固定構造は、前記ウェイトを解除可能に固定する第１の固定構造から構成され、さらに、
前記底部以外の部位に第２の固定構造が設けられ、
当該第２の固定構造に前記ウェイトを固定することによって、前記出入口が水面から上に位置するように前記シェルター本体の水中姿勢を保持可能に構成されている、
ことを特徴とする請求項１記載の避難用シェルター。
【請求項３】
前記ウェイトは、液体を入れることのできる液体容器によって構成されている、
ことを特徴とする請求項１または２記載の避難用シェルター。
【請求項４】
前記シェルター本体の所望箇所には、前記シェルターの重心を移動させるために歩行する避難者がつかまることのできる取っ手が少なくとも１個設けられている、
ことを特徴とする請求項１ないし３いずれか記載の避難用シェルター。
【請求項５】
前記シェルター本体は、防弾・防爆風効果を高めるためのアラミド繊維を含む層、もしくは、簡易核防護効果を高めるための鉛フィルム層を含む強化プラスチックにより構成されている、
ことを特徴とする請求項１ないし４いずれか記載の避難用シェルター。
【考案の詳細な説明】
【技術分野】
【０００１】
本考案は、地震、崖崩れ、洪水、津波等の災害時のほか、紛争、テロ、事故等から被災者・被害者が避難するための避難用シェルターに関する。
【背景技術】
【０００２】
記憶に新しい災害として、２０１１年３月１１日に発生した東北地方太平洋沖地震がある。崩れて来た屋根の下敷きになったり、崖崩れの土砂に埋もれたりして、人命が落されている。地震による津波は多くの人の命を奪った。原子力発電所の事故から身を守る手段が必要であることも認識された。さらに海外では、紛争やテロが多発しており、また、核開発に伴う災害リスクが増大している。
【０００３】
このような地震発生時に、倒壊した家屋に押し潰されて圧死したり、あるいは、家屋や瓦礫等の落下物の下敷きとなって窒息死したりして、犠牲になるのを防止するための地震対策用の装置としては、例えば、特許文献１に開示された地震用シェルターが知られている。
【０００４】
特許文献１に記載されているような地震用シェルター（以下、「従来のシェルター」という）は、出入口を有する樹脂製のドーム本体から基本構成され、出入口を下側に配置したときにシェルターを構成するようになっている。避難しようとする避難者は、たとえば、ジャッキなどでドーム本体を持ちあげて出入口を開放し、そこから内部へ避難する。一方、従来のシェルターは、水害時にはこの地震用シェルターを、その出入口を上に向け避難用ボートとして使用可能となっている。ボートとして利用するには、ドーム本体を転がして水面へ移動させて出入口を上に向かせ、避難者が中に入り込むことになる。すなわち、従来のシェルターは、出入口を下に向ける地震対策と同じく上に向ける水害対策とで使用態様を異ならせる点に特徴がある。
【先行技術文献】
【特許文献】
【０００５】
【特許文献１】実用新案登録第３１４４７４６号公報（実用新案登録請求の範囲、段落００６０以下、図１、２、５）
【考案の概要】
【考案が解決しようとする課題】
【０００６】
しかしながら、従来のシェルターでは、たとえば、上記した東北地方太平洋沖地震の際に十分な効果を得られるかどうか疑問が残る。なぜなら、この場合、地震により建物の倒壊等が発生し、続けて津波が発生している。地震が発生したときに、従来のシェルターを使用したとして、その出入口をジャッキなどで持ち上げ開放するための時間は避難者には与えられていないからである。ジャッキではなく素手で出入口を開放するとして、避難者が一人だったら、揺れている最中にたった一人で出入口を開放するためにドーム本体を持ちあげることは不可能であろう。仮にドーム本体内に避難できたとしても、そこに津波が来たとき、ドーム内部にいる避難者は、下を向いている出入口を上に向かせることはとても難しい。地震対策と津波対策は択一的ではなく連鎖・連動させるべきものであるが、それに対応できない点に従来のシェルターの問題点がある。一方、災害には、地震や津波等だけではなく、原子力発電所の事故、さらには、紛争、テロ、核開発などに伴う災害もある。しかし、従来のシェルターには、この紛争等に係る災害から我々を避難させる機能までは備えていない。
【０００７】
そこで、本考案は、前記問題点を解消すべく考案されたものであり、地震、水害、さらに紛争等が単独もしくは複合して発生した際に、確実な避難を可能とするための避難用シェルターを提供することを目的とする。
【課題を解決するための手段】
【０００８】
前記課題を解決するために本項案は、次の構成を備えている。なお、いずれかの請求項に記載された考案の説明にあたり行う用語の定義等は、本考案の目的に反しない範囲で、記載順等に関わらず他の請求項に記載された考案にも適用されるものとする。
【０００９】
（請求項１記載の考案の特徴）
請求項１記載の考案に係る避難用シェルター（以下、「請求項１のシェルター」という）は、水密（水が流入しない程度に密閉）閉鎖された避難空間を有する球形のシェルター本体と、設置状態のまま、当該避難空間へ人が出入りできるように当該シェルター本体側方に少なくとも１個（２個以上でもよい）開口された出入口と、当該出入口を水密閉鎖するハッチ（形状不問、一部を透明としてもよい）と、を有し、設置状態にある当該シェルター本体の底部上に、設置状態と同じ水中姿勢を（ハッチが側方を向いている姿勢）保持するためのウェイトを設置するための固定構造が設けられている、ことを特徴とする。シェルター本体の材質は、考案の目的を害さなければ特段の限定はないが、たとえば、強化樹脂などを用いると十分な強度を保ちつつ軽量化できるので好適である。シェルター本体やハッチの一部を、外を見たり光を取り入れたりすることができるように透明素材で構成してもよい。また、水が入らないように逆止弁のついた空気取入口を設けておくことが好ましい。
【００１０】
請求項１のシェルターによれば、シェルター本体の内部避難空間と外部とは出入口によって連通している。出入口は、シェルター本体の側方にあるから、地震等が発生したとき避難者は、ハッチを開放するだけでシェルター本体の中に避難することができる。設置状態にあるハッチは、これを開放状態（出入口を開放した状態）にしておけば、より速やかな避難を可能にする。ウェイトは、津波のような水害に遭ったとき、シェルター本体の水中姿勢を安定なものとする。ウェイトは固定構造を介して設置されているので、シェルター本体が揺動等による位置ズレが防止されるので、水中姿勢の安定化をより確かなものとする。水中姿勢のときハッチの一部は水面より下になるが、ハッチとシェルター本体との間は水密になっているので、水がシェルター本体内に侵入することがない。
【００１１】
（請求項２記載の考案の特徴）
請求項２記載の考案に係る避難用シェルター（以下、「請求項２のシェルター」という）は、請求項１のシェルターであって、前記固定構造は、前記ウェイトを解除可能に固定する第１の固定構造から構成され、さらに、前記底部以外の部位に第２の固定構造が設けられ、当該第２の固定構造に前記ウェイトを固定することによって、前記出入口が水面から上に位置するように前記シェルター本体の水中姿勢を保持可能に構成されている、ことを特徴とする。
【００１２】
請求項２のシェルターによれば、請求項１のシェルターの作用効果に加え、ウェイトを第１の固定構造から取り外し第２の固定構造へ移し替えることができる。第２の固定構造から第１の固定構造への戻しも可能となる。このようにウェイトを移動可能とすることにより、ドーム本体の重心位置が変わり、その水中姿勢を変化させることができる。第２固定構造の位置を適当に選ぶことにより、たとえば、側方にあったハッチ（出入口）の位置を、たとえば、水面の上へ移動させたまま安定させることができる。ハッチを水面上に移動できれば、浮遊しながらハッチを開放できるので、換気や脱出等を行うことができる。また、地上にあるときでも、ドーム本体の姿勢を保持するためにウェイトは有効である。
【００１３】
（請求項３記載の考案の特徴）
請求項３記載の考案に係る避難用シェルター（以下、「請求項３のシェルター」という）は、請求項１または２のシェルターであって、前記ウェイトは、液体を入れることのできる液体容器によって構成されている、ことを特徴とする。
【００１４】
請求項３のシェルターによれば、請求項１または２のシェルターの作用効果に加え、持ち運ぶ際の液体容器は、これを空にしておき、設置する際に液体（たとえば、水道水）を入れればウェイトとして使用ができるので、取り扱いが容易である。ウェイトは、たとえば、これを容器に入れた飲料水によって構成すれば、非常用の飲料水として流用が可能である。
【００１５】
（請求項４記載の考案の特徴）
請求項４記載の考案に係る避難用シェルター（以下、「請求項４のシェルター」という）は、請求項１ないし３いずれかのシェルターであって、前記シェルター本体の所望箇所には、前記シェルターの重心を移動させるために歩行する避難者がつかまることのできる取っ手が少なくとも１個設けられている、ことを特徴とする。
【００１６】
請求項４のシェルターによれば、請求項１ないし３いずれかのシェルターの作用効果に加え、シェルター本体の重心を移動させようとする避難者は、取っ手につかまることにより、シェルター本体内を歩行（膝立ち歩行や尻のずらし等を含む）するときの起点を確保することができる。起点を確保した避難者は、確保がなければ難しいシェルター本体内の所望位置に足先や膝等を移動することが容易になる。これによって、シェルター本体の重心を任意に制御することができる。つまり、シェルター本体の姿勢を迅速かつ容易に任意の状態に保持することが可能になる。
【００１７】
（請求項５記載の考案の特徴）
請求項５記載の考案に係る避難用シェルターは、請求項１ないし３いずれかのシェルターであって、前記シェルター本体は、防弾・防爆風効果を高めるためのアラミド繊維を含む層、もしくは、簡易核防護効果を高めるための鉛フィルム層、を含む強化プラスチックにより構成されている、ことを特徴とする。
【００１８】
請求項５のシェルターによれば、請求項１ないし３いずれかのシェルターであって、自然災害に加え、紛争その他の危険を伴う地域においても避難者の安全確保に貢献することが期待される。
【考案の効果】
【００１９】
本項案によれば、自然災害、特に地震対策と津波対策のような連鎖・連動する災害に対し有効対応することのできる避難シェルターを提供することができる。この避難シェルターは、原子力発電所の事故、さらには、紛争、テロ、核開発などに伴う人的災害に対しても有効に対応することができる。
【図面の簡単な説明】
【００２０】
【図１】ハッチを閉鎖した状態の避難シェルターの正面図である。
【図２】ハッチを開放した状態の避難シェルターの正面図である。
【図３】水中で姿勢を変更した状態の避難シェルターの概略縦断面図である。
【図４】床板の平面図である。
【考案を実施するための形態】
【００２１】
（避難用シェルターの設置）
図１に示す避難用シェルター１は、地震発生時（または、予震発生時や、緊急地震速報装置のお知らせがあったとき）に直ぐに避難者Ａが、避難用シェルター１に入り込むことができるように、家屋内や庭の片隅等の適宜な場所に配置しておく。または、地震発生時やその他の災害時に崖崩れや、土砂崩れや、頭上から落下物が落下する危険性が予想される場所に配置してもよい。さらに、避難用シェルター１は、水に浮くように形成されているため、津波や、洪水時の河川の氾濫が予想される場所に配置してもよい。避難用シェルター１は、全体が略球状でコンパクトに形成されたことによって、地震、崖崩れ、水害等の災害の際に、外圧や強い衝撃に耐えるのに適した形状的な強度を備えた構造になっている。
【００２２】
（避難用シェルターの概略構造）
図１ないし３に示すように、避難用シェルター１は、シェルター本体３と、出入口７と、ハッチ９と、固定構造１１と、ウェイト１３と、から基本構成されている。符号２１は、避難用シェルター１を、その上に設置しておくための設置台２１を示す。設置台２１は、次に述べるように球体に構成された避難用シェルター１を安定設置しておくためのものであるが、不要であれば省略してもよい。
【００２３】
（シェルター本体の構造）
シェルター本体３は、全体としてほぼ球形であって、内部に避難空間５（図３）を備え、避難空間５は、外から水が浸入しないように水密閉鎖されている。水害によって流された場合等における避難空間５の安全確保のためである。シェルター本体３の形状をほぼ球形としたのは、シンプルかつ衝撃に強い形状だから、崩れてきた瓦礫等の下敷きになったとしても容易に壊れることがなく、避難空間５内に避難した避難者Ａを確実に守ることができるからである。さらに、水害に遭った時に、押し流される瓦礫など引っかかって水没せずにすり抜けやすい形状だからである。図２に示す符号６は、避難空間５内の避難者Ａが、自分の体を保持するためにつかまるためのつかまり棒を示す。つかまり棒６は、シェルター本体３の縦方向に延び、上下端それぞれがシェルター本体３の内壁に固定されている。
【００２４】
つかまり棒６は、避難者Ａが避難シェルター１（シェルター本体３）の重心を移動させるためにシェルター本体３の内壁上を歩行する際に取っ手としても機能する。すなわち、シェルター本体３の重心を移動させようとする避難者Ａは、つかまり棒６につかまることにより、シェルター本体３内を歩行（膝立ち歩行や尻のずらし等を含む）するときの起点を確保することができる。起点を確保した避難者は、確保がなければ難しいシェルター本体内の所望位置に足先や膝等を移動することが容易になる。これによって、シェルター本体３の重心を任意に制御することができる。つまり、シェルター本体３の姿勢を迅速かつ容易に任意の状態に保持することが可能になる。
【００２５】
シェルター本体３の大きさは、一度に収容する避難者Ａの人数にもよって様々である。ただ、シェルター本体を大きくすればその分、重量が増加し占有面積も増大するので、運搬や設置の手間を考え、数人用とするのが好ましい。数人用としておけば、平均的な家族全員が避難できる大きさである。避難は迅速に行われるべきであるが人数が多すぎると順番待ち現象が生じて迅速性が害されるので注意が必要である。上述した理由から、大家族の家庭に設置するのであれば、複数個の避難用シェルター１を設置することが好ましいといえよう。
【００２６】
出入口７は、設置したときのシェルター本体３の側方に形成された円形の開口であって、避難者Ａが避難空間５内に避難したり退出したりするためのものである。したがって、出入口７の直径は、強度を極端に落とさず大人一人が出入り可能な寸法、たとえば、５００〜６００ミリメートル程度が好ましい。円形以外の形状を選択してもよいが、本実施形態では、応力集中を可及的に避けシェルター本体３の強度を保つために円形とした。また、強度確保のために出入口７は１個としてある。２個以上の出入口を設ける場合は、シェルター本体３の全体強度に留意し、必要に応じて補強構造を設けるとよい。シェルター本体３を構成する素材については、別項で説明する。
【００２７】
（ハッチの構造）
図２および３に示すように、ハッチ９は、出入口７より僅かに大きな円形に形成され、シェルター本体３内に一端が固定されたヒンジ９ｂの他端に固定されている。ヒンジ９ｂの機能により、ハッチ９は、シェルター本体３に対し外開きに開放可能に出入口７を閉鎖するようになっている。ハッチ９内側周縁と出入口７の外側周縁の間には、環状のパッキン９ａが介在され、閉鎖時に両者間の水密性をしっかりと保つように構成されている。本実施形態のパッキン９ａは、シェルター本体３側に固定してあるが、ハッチ９側に固定してもよいし、２つのパッキンを両者それぞれに固定するようにしてもよい。シェルター本体３の内部には、ロック機構９ｃが設けられていて（図２）、避難者Ａが内部から操作しハッチ９をシェルター本体３に対しロックもしくはその解除が行えるようになっている。ロックしたとき、パッキン９との協働により、シェルター本体３とハッチ９との間の水密が確保されることは言うまでもない。ハッチ９を構成する素材については別項で述べるが、その一部（たとえば、中央部分）を透明な合成樹脂や強化ガラスなどで構成してもよい。避難者Ａが外を見られるように、また、外部の光を避難空間５内へ導くことができるようにするためである。
【００２８】
（固定構造とウェイト）
シェルター本体３は、その設置時の底部上に、円板状の床板１１ａが固定されている。（図３）。床板１１ａは、これを設けることにより、シェルター本体３の球状の内壁面を平面化し、その上で避難者Ａが膝を折ってしゃがめるようにするためのものである。床板１１ａには、開口１１ｂが形成されている。開口１１ｂは蓋１１ｄによって開放可能に閉鎖され、床板１１ａの下側に設けられた収納空間１１ｃの上部開口となっている。収納空間１１ｃ内には、飲料水の入ったペットボトル（液体容器、図３にＷと表示）を収納してある。このペットボトルは、シェルター本体３を設置状態に保つためのウェイトとしての役割を担っている。ペットボトルは、ウェイトとして必要重量を得るために複数本としてもよい。床板１１ａと収納空間１１ｃと、蓋１１ｄは、本実施形態におけるウェイト（ペットボトル）１３の固定構造１１を構成している。固定構造１１から取り出したペットボトルは、これを他の固定構造（収納空間、図示を省略）に移動させればシェルター本体３の重心を移動させることが可能になる。
【００２９】
シェルター本体３の内壁曲率とほぼ同じ曲率の外壁を持った球形の一部を、ある平面（床板１１ａと同じ面積とする）を境に切り落としたとして、その切り落とした椀状部分と同じ形状の収納庫を形成し、それを床板１１ａの代わりに設置するようにしてもよい（図４）。この場合、上面は床板１１ａの代わりとなる。このとき、椀状の収納庫の底面はシェルター本体３の内壁面と面接触するので、シェルター本体３に対し安定した設置を行うことができる。重心を移動させるためのシェルター本体３に対する移動も簡単になる。なお、シェルター本体３と収納庫との間に、移動方向を案内するための案内構造（図４に示す溝１２）と、任意の位置で半固定可能とするための固定構造（図示を省略）を設けておくこともできる。
【００３０】
案内構造として機能する溝１２は、床板１１ａの中心から半径方向に切りぬき形成され、その中心に、つかまり棒６が挿入されている。図３および４に示すように固定構造１１は、シェルター本体３が、図２に示す状態から姿勢を変えず図３に示す状態になる際に、図３の１１ａ（１）→１１ａ（２）のように紙面垂直の状態から同水平状態へ移動する。この移動によって、つかまり棒６は、溝１２に案内され、姿勢変更後は図４に示すように、紙面垂直方向に延びた状態になる。
【００３１】
シェルター本体３には、避難用空間５内の換気を行うための換気口１５が貫通形成されている。換気口１５は、これに逆止弁を設けたり、開閉蓋を設けたりすることにより、水が入らないように構成する。また、その設ける位置は、シェルター本体３が水中浮遊したときに水面より高い位置に設けることが好ましい。浮遊時でも換気ができるようにするためである。符号１７は、採光窓を示している。
【００３２】
（シェルター本体の具体的構成）
シェルター本体３は、必要な強度が得られる限りその素材を問わないが、災害時に使用するものであるから難燃性であることが好ましい。また、外壁部と内壁部（図示を省略）の二重構造とし、外壁部を強化プラスチックにより、内壁部を緩衝材により構成するとよい。緩衝材を設けるのは、シェルター本体３が大きな衝撃を受けても、その影響が避難者Ａになるべく及ばないようにするためである。本実施形態では採用していないが、避難者Ａの身体をシェルター本体３に固定するためのシートベルト（図示を省略）、腰を下ろすためのクッション（図示を省略）などを取り付けておくこともできる。なお、上記素材は、ハッチ９にも適用することができる。
【００３３】
なお、本実施形態のシェルター本体３には、防弾・防爆風効果を高めるためのアラミド繊維を含む層、もしくは、簡易核防護効果を高めるための鉛フィルム層を含めることができる。防弾・防爆風効果を高めることにより、避難用シェルター１は、紛争地域等で使用したときにその効果を発揮する。また、核防護効果を高めることにより、原子力被害想定地域において、その被害軽減が期待できる。すなわち、原子力被害発生時に、短時間で半減期を迎える放射性物質への対策のため、当該短時間を放射線的に隔離された避難用シェルター１内で緊急避難的な滞在ができるようにするためである。放射線から防護するための防護服やマスク等を予め用意しておけば、避難者の安全をより確実に確保することができる。
【００３４】
本実施形態で用いた強化プラスチックは、いわゆるガラス、カーボン、アラミド繊維等の繊維を不飽和ポリエステル、ビニルエステル、フェノール樹脂に含ませる事により、強度を向上させた複合材料である。強化プラスチックは、金属材料よりも比強度が強く、軽量で、耐熱性及び耐食性に優れた素材である。この強化プラスチックで形成されたシェルター本体３は、衝撃に対して強く、折れ難い、壊れ難い、変形し難い構造の避難用シェルター１にすることが可能となる。但し、この強化プラスチックの成形技術に関しては、作業工程を担う人間の熟練度に、その完成度が大きく左右される「ハンドレイアップ工法」（手積積層法）という、手作業による一般的な強化プラスチック成形技術では無く、製品強度、品質（特に強度）の均質化が可能となるＬ−ＲＴＭ工法（簡易密閉型を用いる樹脂圧入法）によるものでなければならない。これはシェルター本体が人の命を守る事を目的としている背景から、完成品の強度上の個体差が生じる事が許されない為である。
【００３５】
（避難用シェルターの使用方法）
地震災害の場合を例にして説明する。大きな予震が発生したときや、緊急地震速報装置のお知らせがあったときには、大地震が発生するまでに１０秒〜数十秒程度の時間がある。大きな地震の予震やお知らせがあった場合の避難者Ａは、ハッチ９を開放し出入口７から避難空間５内に入り込む（図１、２）。避難した避難者Ａは、ハッチ９を閉めロック機構９ｃでロックすれば避難を完了する。避難者Ａの呼吸は、換気口１５の働きにより確保される。家屋が倒壊したり土砂が崩れてきたりしても、避難者Ａは避難用シェルター１に保護されそれらによって押しつぶされることはない。なお、設置時のハッチ９は、図２に示すように、これを開放状態にしておいてもよい。避難を迅速に行えるようにするためである。
【００３６】
避難用シェルター１（シェルター本体３）は、水密になっているので、そのまま津波などに流されても沈むことはない。また、瓦礫等との衝突から避難者Ａを守ってくれる。津波にのまれた直後の避難用シェルター１は、その勢いや他の流出物との衝突などにより衝撃を受けたり回転したりするが、避難者Ａは、安全にこれらから避難することができる。津波が落ち着いたら、ウェイト１３や避難者Ａ自身の移動によりシェルター本体３の重心を変え、ハッチ９が最上部に来るように水中姿勢を制御するとよい。ハッチ９を開けることができるので、外気を取り入れたり避難者Ａ自身が出入口７から顔を出して周囲の様子を見ることなどが可能になる（図３）。
【００３７】
たとえば、避難用シェルター１の収納庫の中には、簡易トイレ、ヘルメット、緊急呼び出し用のホイッスルや発煙筒、懐中電灯、ラジオ、太陽電池その他の簡易発電機、飲食物、医療品等の防災用品を備蓄しておくとよい。さらに、これらとともに、もしくは、これらの代わりに、前述した防護服やマスクなどを必要に応じて収納しておくこともできる。
【符号の説明】
【００３８】
１    避難用シェルター
３    シェルター本体
５    避難空間
６    つかまり棒
７    出入口
９    ハッチ
９ａ  パッキン
９ｂ  ヒンジ
９ｃ  ロック機構
１１    固定構造
１１ａ  床板
１１ｂ  開口
１１ｃ  収納空間
１１ｄ  蓋
１３    ウェイト（容器入り飲料水）
１５    換気口
１７    採光窓
２１    設置台
【図１】
0003180913.tif 000003
【図２】
0003180913.tif 000004
【図３】
0003180913.tif 000005
【図４】
0003180913.tif 000006